(57)【要約】【課題】より簡単に無線設定が可能な無線設定システムを提供する。【解決手段】本発明おける無線設定システム１は、クレードル１０と電子書籍端末２０を備え、クレードル１０は、接続端子１１０と、電子書籍端末２０と無線通信を行う通信部１０１と、接続端子１１０に接続された接続端子２１０を有する電子書籍端末２０に対し、無線通信を行うための初期設定を開始する指示である指示信号を、接続端子１１０を解して送信する信号送信部１０３とを備え、電子書籍端末２０は、クレードル１０と無線通信を行う通信部２０１と、クレードル１０から送信された指示信号を、接続端子２１０を介して受信し、通信部２０１が通信部１０１と無線通信を行うための初期設定を開始する初期設定部２０２とを備えている。【選択図】図１
2012060464.tif 000002
【特許請求の範囲】
【請求項１】
接続端子を含む充電装置と、前記充電装置の接続端子と接続するための接続端子を含む携帯通信装置とを有する無線設定システムであって、
前記充電装置は、前記携帯通信装置と無線通信を行う通信手段と、
該充電装置の接続端子に接続された接続端子を有する前記携帯通信装置に対し、無線通信を行うための初期設定を開始する指示である指示信号を、該充電装置の接続端子を介して送信する信号送信手段とを備え、
前記携帯通信装置は、前記充電装置と無線通信を行う通信手段と、
前記信号送信手段にて、該携帯通信装置の接続端子に接続された接続端子を有する前記充電装置から送信された指示信号を、該携帯通信装置の接続端子から受信する受信手段と、
前記通信手段が前記充電装置の通信手段と無線通信を行うための初期設定を開始する初期設定手段とを備えていることを特徴とする無線設定システム。
【請求項２】
前記充電装置は、無線通信を行うための初期設定を開始する開始指示をユーザから受け付けるための指示受信手段を更に備え、
前記信号送信手段は、前記指示受信手段が開始指示を受け付けたとき、該充電装置の接続端子に接続された接続端子を有する携帯通信装置に対し、指示信号を該充電装置の接続端子を介して送信することを特徴とする請求項１に記載の無線設定システム。
【請求項３】
前記充電装置は、該充電装置の接続端子に前記携帯通信装置の接続端子が接続されたことを検知する検知手段を更に備え、
前記信号送信手段は、前記検知手段にて前記接続端子が該充電装置の接続端子に接続されたことを検知したとき、前記携帯通信装置に対し、指示信号を該充電装置の接続端子を介して送信することを特徴とする請求項１に記載の無線設定システム。
【請求項４】
前記充電装置の接続端子と前記携帯通信装置の接続端子とは、ＵＳＢコネクタであることを特徴とする請求項１から３の何れか１項に記載の無線設定システム。
【請求項５】
無線通信が可能な携帯通信装置の接続端子と接続するための接続端子と、
前記携帯通信装置と無線通信を行う通信手段と、
該充電装置の接続端子に接続された接続端子を有する前記携帯通信装置に対し、無線通信を行うための初期設定を開始する指示である指示信号を、該充電装置の接続端子を介して送信する信号送信手段とを備えている充電装置。
【請求項６】
無線通信が可能な充電装置の接続端子と接続するための接続端子と、
前記充電装置と無線通信を行う通信手段と、
該携帯通信装置の接続端子に接続された接続端子を有する前記充電装置から送信された無線通信を行うための初期設定を開始する指示である指示信号を、該携帯通信装置の接続端子から受信する受信手段と、
前記通信手段が前記充電装置の通信手段と無線通信を行うための初期設定を開始する初期設定手段とを備えている携帯通信装置。
【請求項７】
接続端子を含む充電装置と、前記充電装置の接続端子と接続するための接続端子を含む携帯通信装置とを有し、前記充電装置と前記携帯通信装置とは、無線通信を行う通信手段をそれぞれ備えている無線設定システムの無線設定方法であって、
前記充電装置の信号送信手段が、前記充電装置の接続端子に接続された接続端子を有する前記携帯通信装置に対し、無線通信を行うための初期設定を開始する指示である指示信号を、該充電装置の接続端子を介して送信する信号送信ステップとを備え、
前記携帯通信装置の受信手段が、前記信号送信ステップにて該携帯通信装置の接続端子に接続された接続端子を有する前記充電装置から送信された指示信号を、該携帯通信装置の接続端子から受信する受信ステップと、
前記携帯通信装置の初期設定手段が、前記受信ステップにて指示信号を受信したとき、前記通信手段が前記充電装置の通信手段と無線通信を行うための初期設定を開始する初期設定ステップとを備えていることを特徴とする無線設定システムの無線設定方法。
【請求項８】
請求項１から４の何れか１項に記載の無線設定システムを動作させるためのプログラムであって、コンピュータを上記各手段として機能させるためのプログラム。
【請求項９】
請求項８に記載のプログラムを記録したコンピュータ読み取り可能な記録媒体。
【発明の詳細な説明】
【技術分野】
【０００１】
本発明は、携帯通信装置に充電装置と無線通信を行うための初期設定をする無線設定システム、そのような無線設定システムの無線設定方法、及び、そのような無線設定システムに備えられた充電装置及び携帯通信装置に関する。また、コンピュータをそのような無線設定システムとして動作させるためのプログラム、及び、そのようなプログラムが記録された記録媒体に関する。
【背景技術】
【０００２】
近年、通信システムとして、無線ＬＡＮ（Ｌｏｃａｌ  Ａｒｅａ  Ｎｅｔｗｏｒｋ）を利用したアクセスポイント（無線基地局）及び携帯通信装置を有した無線通信システムが普及している。無線通信装置を無線ＬＡＮに接続するためには、無線通信装置に所定の無線設定を施す必要がある。また、セキュリティが確保された無線ＬＡＮへの接続のためには、無線設定として認証方式及び暗号化方式の設定を行う必要がある。
【０００３】
しかしながら、無線ＬＡＮの認証方式及び暗号化方式は、ユーザにとって理解しがたく、ユーザが無線通信装置を接続対象の無線ＬＡＮに接続することは困難であった。このため、無線通信装置の対象無線ＬＡＮへの無線接続を簡単に行うために、ＡＯＳＳ（ＡｉｒＳｔａｔｉｏｎ  Ｏｎｅ−Ｔｏｕｃｈ  Ｓｅｃｕｒｅ  Ｓｙｓｔｅｍ）及びＷＰＳ（Ｗｉ−Ｆｉ  Ｐｒｏｔｅｃｔｅｄ  Ｓｅｔｕｐ）など種々の手法が提案されている。
【０００４】
例えば、特許文献１には、ユーザがアクセスポイントに対し、所定の操作（例えばアクセスポイントに設置されたボタンを押す）を行うと、各端末固有の情報が含まれた初期設定パケットのみを受信する限定受信モードが実行され、ユーザがこの限定受信モードのときに、端末上で初期設定パケットを送信する指示を行うことにより、端末とアクセスポイントとの間で運用する暗号鍵を、アクセスポイントと端末とに設定することが記載されている。
【０００５】
また、特許文献２には、アクセスポイントに無線接続されたＰＣとデバイスとをＵＳＢコネクタ接続すると、デバイスの記憶領域に格納された無線設定プログラムをＰＣ上で自動起動することにより、デバイスの無線設定を行うことが記載されている。
【先行技術文献】
【特許文献】
【０００６】
【特許文献１】特開２００５−１４２９０７号公報（平成１７年６月２日公開）
【特許文献２】特開２００７−８８７２６号公報（平成１９年４月５日公開）
【発明の概要】
【発明が解決しようとする課題】
【０００７】
しかしながら、特許文献１の技術では、ユーザはアクセスポイント及び端末の両方の操作が必要となるため、操作の手順を間違うことがあり、このような場合、端末の無線設定に失敗してしまう。
【０００８】
また、無線ＬＡＮの設定が眼に見えない無線上で行われているため、アクセスポイントと端末との間で無線の設定情報が間違いなくやり取りされ、無線設定の処理が進行しているのかどうかが不明確であり、ユーザが不安になる可能性がある。
【０００９】
つまり、ユーザにとって理解しがたい無線ＬＡＮの設定が、上記のような操作の不確実性及び進捗の不明確性により、より心理的に敷居を高くしているという問題がある。
【００１０】
本発明は上記課題に鑑みてなされたものであり、その目的は、より簡単に無線設定が可能な無線設定システムを実現することにある。
【課題を解決するための手段】
【００１１】
上記課題を解決するために、本発明における無線設定システムは、接続端子を含む充電装置と、前記充電装置の接続端子と接続するための接続端子を含む携帯通信装置とを有する無線設定システムであって、前記充電装置は、前記携帯通信装置と無線通信を行う通信手段と、該充電装置の接続端子に接続された接続端子を有する前記携帯通信装置に対し、無線通信を行うための初期設定を開始する指示である指示信号を、該充電装置の接続端子を介して送信する信号送信手段とを備え、前記携帯通信装置は、前記充電装置と無線通信を行う通信手段と、前記信号送信手段にて、該携帯通信装置の接続端子に接続された接続端子を有する前記充電装置から送信された指示信号を、該携帯通信装置の接続端子から受信する受信手段と、前記通信手段が前記充電装置の通信手段と無線通信を行うための初期設定を開始する初期設定手段とを備えていることを特徴としている。
【００１２】
また、上記課題を解決するために、本発明における無線設定システムの無線設定方法は、接続端子を含む充電装置と、前記充電装置の接続端子と接続するための接続端子を含む携帯通信装置とを有し、前記充電装置と前記携帯通信装置とは、無線通信を行う通信手段をそれぞれ備えている無線設定システムの無線設定方法であって、前記充電装置の信号送信手段が、前記充電装置の接続端子に接続された接続端子を有する前記携帯通信装置に対し、無線通信を行うための初期設定を開始する指示である指示信号を、該充電装置の接続端子を介して送信する信号送信ステップとを備え、前記携帯通信装置の受信手段が、前記信号送信ステップにて該携帯通信装置の接続端子に接続された接続端子を有する前記充電装置から送信された指示信号を、該携帯通信装置の接続端子から受信する受信ステップと、前記携帯通信装置の初期設定手段が、前記受信ステップにて指示信号を受信したとき、前記通信手段が前記充電装置の通信手段と無線通信を行うための初期設定を開始する初期設定ステップとを備えていることを特徴としている。
【００１３】
上記構成によれば、無線通信の初期設定を行う携帯通信装置の接続端子を充電装置の接続端子に接続させることにより、充電装置は携帯通信装置の充電を開始すると共に、接続端子に接続されている携帯通信装置に、充電装置と無線通信を行うための初期設定を開始する指示である指示信号を、接続端子を介して送信する。指示信号を、接続端子を介して受信した携帯通信装置は、充電装置と無線通信を行うための初期設定を開始する。
【００１４】
これにより、ユーザが無線通信の設定のための操作を携帯通信装置に行うことなく、携帯通信装置は、充電装置との無線通信を行うための初期設定を行うことができるため、より簡単に無線設定ができる。
【００１５】
また、充電装置と携帯通信装置とは接続端子を介して互いに接続されているため、無線通信を行うための初期設定にて使用される情報（無線設定情報）を、接続端子を介して互いにやり取りする。ここで、無線設定情報とはＭＡＣ（Ｍｅｄｉａ  Ａｃｃｅｓｓ  Ｃｏｎｔｒｏｌ）アドレス及びＳＳＩＤ（Ｓｅｒｖｉｃｅ  Ｓｅｔ  Ｉｄｅｎｔｉｆｉｅｒ）などの設定情報、ＷＥＰキー及びＷＰＡ（Ｗｉ−Ｆｉ  Ｐｒｏｔｅｃｔｅｄ  Ａｃｃｅｓｓ）など暗号化のためのパスワード情報などのことである。
【００１６】
これにより、無線設定情報を無線上でやり取りする場合に起こりうる、パケットロスなどの障害が発生しないため、充電装置と携帯通信装置との間でやり取りされる上記情報を用いて、無線通信を行うための初期設定を確実に行うことができる。
【００１７】
前記充電装置は、無線通信を行うための初期設定を開始する開始指示をユーザから受け付けるための指示受信手段を更に備え、前記信号送信手段は、前記指示受信手段が開始指示を受け付けたとき、該充電装置の接続端子に接続された接続端子を有する携帯通信装置に対し、指示信号を該充電装置の接続端子を介して送信することが好ましい。
【００１８】
上記構成によれば、ユーザが、充電装置の接続端子と携帯通信端末の接続端子とを接続し、無線通信を行うための初期設定を開始する開始指示を受け付ける充電装置に備えられた入力ボタンを押したとき、携帯通信端末の無線通信を行うための初期設定が開始される。
【００１９】
これにより、ユーザは、１つの入力ボタンを押すという操作のみで、携帯通信端末に充電装置と無線通信を行うための初期設定を行うことができる。
【００２０】
前記充電装置は、該充電装置の接続端子に前記携帯通信装置の接続端子が接続されたことを検知する検知手段を更に備え、前記信号送信手段は、前記検知手段にて前記接続端子が該充電装置の接続端子に接続されたことを検知したとき、前記携帯通信装置に対し、指示信号を該充電装置の接続端子を介して送信してもよい。
【００２１】
これにより、ユーザは、携帯通信装置を充電するときと同じように充電装置の接続端子と携帯通信装置の接続端子とを接続することで、携帯通信装置に充電装置と無線通信を行うための初期設定をすることができる。
【００２２】
前記充電装置の接続端子と前記携帯通信装置の接続端子とは、ＵＳＢコネクタである、ことが好ましい。
【００２３】
これにより、前記信号送信手段は、指示信号を、ＵＳＢコネクタを介して、携帯通信装置に送信することができる。
【００２４】
本発明における充電装置は、無線通信が可能な携帯通信装置の接続端子と接続するための接続端子と、前記携帯通信装置と無線通信を行う通信手段と、該充電装置の接続端子に接続された接続端子を有する前記携帯通信装置に対し、無線通信を行うための初期設定を開始する指示である指示信号を、該充電装置の接続端子を介して送信する信号送信手段とを備えている。
【００２５】
これにより、充電装置の接続端子に接続された接続端子を有する携帯通信装置に対し、充電装置の接続端子を介して、充電装置と無線通信を行うための初期設定を開始する指示である指示信号を送信することができる充電装置を提供することができる。
【００２６】
本発明における携帯通信端末は、無線通信が可能な充電装置の接続端子と接続するための接続端子と、前記充電装置と無線通信を行う通信手段と、該携帯通信装置の接続端子に接続された接続端子を有する前記充電装置から送信された無線通信を行うための初期設定を開始する指示である指示信号を、該携帯通信装置の接続端子から受信する受信手段と、前記通信手段が前記充電装置の通信手段と無線通信を行うための初期設定を開始する初期設定手段とを備えている。
【００２７】
これにより、携帯通信装置の接続端子に接続された接続端子を有する充電装置から、携帯通信装置の接続端子を介して指示信号を受信し、前記充電装置と無線通信を行うための初期設定を自動的に行うことができる携帯通信装置を提供することができる。
【００２８】
また、上記無線設定システムが備えているコンピュータを動作させるプログラムであって、上記コンピュータを上記の各手段として実行させるためのプログラム、および当該プログラムを記録したコンピュータ読み取り可能な記録媒体も本発明の技術的範囲に含まれる。
【発明の効果】
【００２９】
本発明に係る無線設定システムは、携帯通信装置と無線通信が可能な充電装置の接続端子と、充電装置と無線通信が可能な携帯通信装置の接続端子とを接続することで、携帯通信装置の充電をすると共に、携帯通信装置が充電装置と無線通信をするための初期設定を開始する指示である指示信号を充電装置から受信した携帯通信装置が、無線通信の初期設定を開始する。これにより、携帯通信装置は、充電装置と無線通信を行うための初期設定を自動的に行うことができ、また、無線通信を行うための初期設定にて使用される情報を無線上でやり取りする場合に起こりうる、パケットロスなどの障害の発生がないため、充電装置と携帯通信装置との間やり取りされる上記情報を用いて、無線通信を行うための初期設定を確実に行うことができる。
【図面の簡単な説明】
【００３０】
【図１】本発明に係る無線設定システムの内部構成を示すブロック図である。
【図２】図１の無線設定システムのシステム構成を示す図であり、（ａ）は、無線設定システムを構成する充電装置と携帯通信装置とを個別にした場合の図であり、（ｂ）は、充電装置と携帯通信装置とを接続した場合の図である。
【図３】図１の無線設定システムの無線設定方法の流れを示すフローチャートである。
【図４】図１の無線設定システムを構成する充電装置及び携帯通信装置の接続端子の一例を示す図である。
【発明を実施するための形態】
【００３１】
以下、本発明の実施の形態について、図面に基づいて説明すれば以下のとおりである。なお、以下の説明では本発明を実施するために好ましい種々の限定が付与されているが、本発明の技術的範囲は以下の実施例及び図面の記載に限定されるものではない。
【００３２】
（無線設定システムの概要）
まず、本実施形態における無線設定システム１の概要について図２を参照にして説明する。図２は、無線設定システム１の構成例を示す概略図である。図２（ａ）に示すように、無線設定システム１は、接続端子１１０を備えたクレードル（充電装置）１０と、クレードル１０の接続端子１１０と接続するための接続端子２１０を備えた電子書籍端末（携帯通信装置）２０とを含んでいる。
【００３３】
クレードル１０は、電子書籍端末２０を充電する機能を備えており、クレードル１０の接続端子１１０と、電子書籍端末２０の接続端子２１０とが接続されると、クレードル１０は、電子書籍端末２０の充電を開始する。
【００３４】
また、クレードル１０は、無線ＬＡＮルータの機能を有している。クレードル１０と無線通信を行う機器は、クレードル１０を介してインターネットに接続することができる。
【００３５】
また、クレードル１０は、ＵＳＢケーブルを介して、ＰＣ、電源、及び、イーサネット（登録商標）などに接続可能である。なお、クレードル１０が接続可能な機器はこれに限定されず、ＵＳＢケーブルを介して接続可能な機器であればよい。また、クレードル１０と機器との接続はＵＳＢケーブルに限定されず、例えば、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）ケーブルで有ってもよい。
【００３６】
電子書籍端末２０は、電子書籍を閲覧可能な携帯端末であり、電子書籍端末２０を充電するためにクレードル１０に接続する接続端子２１０を備えている。また、電子書籍端末２０は、無線通信を行うための機能を有しており、無線ＬＡＮルータの機能を有する機器を介してインターネットに接続することができる。
【００３７】
図２（ｂ）は、クレードル１０の接続端子１１０と、電子書籍端末２０の接続端子２１０との接続例を示した図である。なお、クレードル１０の接続端子１１０と電子書籍端末２０の接続端子２１０との接続の形態はこれに限定されず、接続端子同士が有線で接続できる形態で有ればよい。
【００３８】
（無線設定システムの構成）
次に、図２に示す無線設定システム１の内部構成を図１に示す。図１は、無線設定システム１の内部構成を示すブロック図である。
【００３９】
図２に示すとおり、クレードル１０は、電子書籍端末２０と接続する接続端子１１０、無線通信を行うための初期設定を開始する開始指示をユーザから受け付けるための入力ボタン１２０、通信部（通信手段）１０１、検知部（検知手段）１０２、信号送信部（信号送信手段）１０３、及び指示受信部（指示受信手段）１０４を備えている。
【００４０】
また、電子書籍端末２０は、クレードル１０と接続する接続端子２１０、通信部（通信手段）２０１、及び、初期設定部（受信手段、初期設定手段）２０２を備えている。
【００４１】
ここで、クレードル１０の通信部１０１及び電子書籍端末２０の通信部２０１は、互いに無線通信を行うための通信手段である。
【００４２】
なお、図１に示すブロック図は、クレードル１０及び電子書籍端末２０が有する各種機能のうち、本発明に特有なものを表現したものであり、クレードル１０及び電子書籍端末２０が図１に示されていない機能を有していてもよいことは言うまでもない。
【００４３】
クレードル１０及び電子書籍端末２０の各部の処理は、以下の無線設定方法にて詳細に説明する。
【００４４】
（無線設定方法）
次に図２（ｂ）のように、クレードル１０と電子書籍端末２０とが接続された無線設定システム１が実行する無線設定方法について図３を参照し説明する。図３は、無線設定方法の流れを示すフローチャートである。
【００４５】
ユーザによってクレードル１０の入力ボタン１２０が押下されると、指示受信部１０４に、無線通信を行うための初期設定を開始する開始指示が送信される。指示受信部１０４は、開始指示を受け付けたことを検知部１０２に通知する（ステップ１、以下単にＳ１と記載する）。
【００４６】
検知部１０２は、指示受信部１０４から開始指示を受け付けたことが通知されると、接続端子１１０に電子書籍端末２０の接続端子２１０が接続されていることを確認する（Ｓ２）。検知部１０２は、接続が確認（検知）できなかった場合（Ｓ２にてＮｏ）、確認するまで、Ｓ２を繰り返す。
【００４７】
接続端子１１０に電子書籍端末２０の接続端子２１０が接続されていることを確認（検知）できた場合（Ｓ２にてＹｅｓ）、信号送信部１０３は、検知部１０２で接続端子１１０に接続が検知された接続端子２１０を有する電子書籍端末２０に対し、無線通信を行うための初期設定を開始する指示である指示信号を、接続端子１１０を介して送信する（Ｓ３）。
【００４８】
電子書籍端末２０の初期設定部２０２は、クレードル１０から送信された指示信号を、接続端子２１０を介して受信する（Ｓ４）。初期設定部２０２は、受信した指示信号に従い、クレードル１０を親機、電子書籍端末２０を子機とした、無線通信を行うための初期設定を行う（Ｓ５）。
【００４９】
ここで、初期設定とは、クレードル１０の通信部１０１と電子書籍端末２０の通信部２０１とが無線通信を行うための設定である。設定方法としては、例えば、無線通信を行うための初期設定にて使用される情報（無線設定情報）である、ＭＡＣアドレス及びＳＳＩＤなどの設定情報、ＷＥＰキー及びＷＰＡなど暗号化のためのパスワード情報を用いて、特許文献１に記載の設定方法や、ＷＰＳにおける無線通信設定方法などが挙げられる。
【００５０】
電子書籍端末２０の通信部２０１の初期設定が完了すると、クレードル１０の通信部１０１と電子書籍端末２０の通信部２０１とはコネクションが確立するため、無線通信を行うことができる。
【００５１】
これにより、ユーザが無線通信の設定のための操作を携帯通信装置に行うことなく、携帯通信装置は、充電装置との無線通信を行うための初期設定を自動的に行うことができるため、より簡単に無線設定ができる。
【００５２】
また、クレードル１０と電子書籍端末２０とは接続端子１１０及び接続端子２１０を介して互いに接続されているため、無線設定情報を、接続端子１１０及び接続端子２１０を介して互いにやり取りする。
【００５３】
これにより、無線設定情報を無線上でやり取りする場合に起こりうる、パケットロスなどの障害が発生しないため、クレードル１０と電子書籍端末２０との間でやり取りされる上記情報を用いて、無線通信を行うための初期設定を確実に行うことができる。
【００５４】
また、ユーザが入力ボタン１２０を押したとき、クレードル１０と電子書籍端末２０との無線通信を行うための初期設定が、電子書籍端末２０にて開始される。これにより、ユーザは、１つの入力ボタン１２０を押すという操作のみで、電子書籍端末２０にクレードル１０と無線通信を行うための初期設定を行うことができる。
【００５５】
（クレードル１０と電子書籍端末２０との接続形態）
次に、クレードル１０の接続端子１１０と電子書籍端末２０の接続端子２１０との接続形態について、図４を参照して説明する。図４は、接続端子１１０及び接続端子２１０の一例を示す図である。
【００５６】
接続端子１１０と接続端子２１０とは、図４に示すようなＵＳＢコネクタを用いて接続している。図４に示すＵＳＢコネクタは、ＵＳＢコネクタ標準の５ピンコネクタに、５ピン追加した１０ピンコネクタの一例である。１０ピンコネクタは、ＵＳＢコネクタ標準の５ピン（ＵＳＢ  Ｄ＋ピン、ＵＳＢ  Ｄ−ピン、＋５Ｖピン、ＧＮＤピン、及び、ＩＤピンから構成）と、２つの＋５Ｖピン、２つのＧＮＤピン、及びコントロールピンから構成される。
【００５７】
上述したステップ３において、クレードル１０から電子書籍端末２０へ送信される無線通信初期設定開始の信号は、接続端子１１０のコントロールピンを使用して送信される。
【００５８】
また、無線設定情報は、ＵＳＢ  Ｄ＋ピン及びＵＳＢ  Ｄ−ピンを用いて送受信してもよいし、そのほかのピンを用いて送信してもよい。
【００５９】
このように、クレードル１０の接続端子１１０と電子書籍端末２０の接続端子２１０とがＵＳＢコネクタであり、各接続端子を接続することで、クレードル１０の信号送信部１０３は、指示信号を、ＵＳＢコネクタを介して、電子書籍端末２０に送信することができる。
【００６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００６１】
（指示信号送信の他の例）
上述したステップ３において、クレードル１０から電子書籍端末２０へ送信される指示信号は、コントロールピンを使用して送信されることについて説明したが、本発明はこれに限定されない。例えば、＋５Ｖピンを用いて無線通信初期設定開始の信号を送信することも可能である。クレードル１０は、充電時と異なる信号、例えば、＋５Ｖピンの電圧を高速で変化させることにより、無線通信初期設定開始を表すモールス信号を、電子書籍端末２０に送信してもよい。
【００６２】
また、無線通信初期設定開始の信号は、ＩＤピンを使用して電子書籍端末２０へ送信してもよい。
【００６３】
（接続端子１１０及び接続端子２１０の他の例）
接続端子１１０と接続端子２１０とは、ＵＳＢコネクタに限定されない。例えば、ＨＤＭＩコネクタで有ってもよい。この他にも、電子書籍端末２０を充電するために電力を供給できる形態であればよく、この構成により、接続端子１１０及び接続端子２１０を介して指示信号及び無線設定情報などを送受信することができる。
【００６４】
（無線設定方法の他の例）
上述した無線設定方法では、ユーザによってクレードル１０の入力ボタン１２０が押されたとき、無線通信初期設定開始の信号が電子書籍端末２０に送信されたが、本発明はこれに限定されない。例えば、クレードル１０と電子書籍端末２０が接続されたときに、無線通信初期設定開始の信号が電子書籍端末２０に送信してもよい。
【００６５】
これにより、ユーザは、電子書籍端末２０を充電するときと同じようにクレードル１０と電子書籍端末２０とを接続することで、電子書籍端末２０にクレードル１０と無線通信を行うための初期設定をすることができる。
【００６６】
また、ステップ３においてクレードル１０の信号送信部１０３が、電子書籍端末２０に対し、無線通信初期設定開始の信号を送信する前に、クレードル１０は、電子書籍端末２０がクレードル１０と無線通信を行うための初期設定をしているか否かを確認するための情報を送信してもよい。
【００６７】
具体的には、クレードル１０は、ステップ３の前に、クレードル１０のＭＡＣアドレスを電子書籍端末２０に送信する。電子書籍端末２０は、記憶領域（図示しない）に記憶された、どのクレードルと無線通信を行うための初期設定をしたかを記憶したログに、受信したＭＡＣアドレスがあるか否かを確認する。電子書籍端末２０は、クレードル１０のＭＡＣアドレスがログに無い場合、クレードル１０にその旨を通知する。クレードル１０は、クレードル１０のＭＡＣアドレスが電子書籍端末２０のログに無い旨の通知を受けると、ステップ３を実行する。
【００６８】
クレードル１０のＭＡＣアドレスがログにある場合、電子書籍端末２０は、クレードル１０と無線通信を行うための初期設定がすでに済んでいるため、クレードル１０に何も通知せず、処理を終了する。クレードルは、一定時間（例えば数秒）経過しても、電子書籍端末２０から、クレードル１０のＭＡＣアドレスが電子書籍端末２０のログに無い旨の通知を受信無い場合、処理を終了する。
【００６９】
このように、クレードル１０と無線通信を行うための初期設定が済んでいる電子書籍端末２０が、再度初期設定を行わないようにすることもできる。
【００７０】
なお、電子書籍端末２０がクレードル１０と無線通信を行うための初期設定をしているか否かを確認するための情報は、ＭＡＣアドレスに限定されず、クレードル１０のシリアル番号などクレードル１０を特定できる情報であればよい。
【００７１】
（プログラム及び記録媒体）
また、上述した無線設定システム１を構成するクレードル１０及び電子書籍端末２０の各ブロックは、ハードウェアロジックによって構成してもよいし、次のようにＣＰＵを用いてソフトウェアによって実現してもよい。
【００７２】
すなわち、クレードル１０及び電子書籍端末２０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるクレードル１０及び電子書籍端末２０の制御プログラム（認証プログラム）のプログラムコード（実行形式プログラム、中間コードプログラム、ソースプログラム）をコンピュータで読み取り可能に記録した記録媒体を、上記クレードル１０及び上記電子書籍端末２０に供給し、そのコンピュータ（またはＣＰＵやＭＰＵ）が記録媒体に記録されているプログラムコードを読み出し実行することによっても、達成可能である。
【００７３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７４】
また、クレードル１０及び電子書籍端末２０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢコネクタ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００７５】
本発明は、携帯通信装置を充電するための充電装置、及び、充電装置で充電される携帯通信装置に適用可能である。
【符号の説明】
【００７６】
１      無線設定システム
１０    クレードル（充電装置）
１０１  通信部（通信手段）
１０２  検知部（検知手段）
１０３  信号送信部（信号送信手段）
１０４  指示受信部（指示受信手段）
１１０  接続端子
１２０  入力ボタン
２０    電子書籍端末（携帯通信装置）
２０１  通信部（通信手段）
２０２  初期設定部（受信手段、初期設定手段）
２１０  接続端子
【図１】
2012060464.tif 000003
【図２】
2012060464.tif 000004
【図３】
2012060464.tif 000005
【図４】
2012060464.tif 000006